(57)【特許請求の範囲】
【請求項１】
ハンドル部と、前記ハンドル部の下端に連結され、上端にサドルを、下端に前輪を備える前輪ステムとを含む前輪部と、
上端が前記ハンドル部の下端に、または前記前輪ステムに操向軸受けを介してヒンジ結合され、下部に後輪を備える後輪ステムを含む後輪部と、
前記ハンドル部の下端に備えられる第一の歯車と、前記第一の歯車と互いに結歯し前記前輪ステムに備えられる第二の歯車とを、
含んでＸ形をなし、
前記ハンドル部は前記前輪ステムにピボット結合により連結され、
前記ハンドル部を回転させると、前記第一および第二の歯車により前記前輪部が、前記前輪の地面接地点を軸として左右に方向転換することを特徴とする前輪部操向自転車。
【請求項２】
前記Ｘ形は、折畳まれることができることを特徴とする請求項１に記載の前輪部操向自転車。
【発明の詳細な説明】
【技術分野】
【０００１】
本発明は、自転車に関するもので、特に、使用者が自転車を使用・運搬するにおいて少ない力で可能で、携帯性に優れた自転車に関する。
【背景技術】
【０００２】
図１Ａは、前輪のみを別途に操向することができる手段がないか不備で不安定であり、図１Ｂは、韓国公開特許第１６４４４号（２００１年３月５日）であって、前輪を操向しようと試みたときに、前記操向に対する力の支点となる手段が備えられておらず、本体全体をひねるか反動を利用するしかないため、優れた運転者（使用者）でなければ操向の操作が難解であり、図１Ｃは、韓国公開実用新案第１９６８２号（１９９３年９月２３日）であり、サドルを支点として操向ハンドルを操作して操向することはできるが、同時にペダル等の動力体系が前記操向ハンドルに従って共に左右回転するため、使用者の体が向かう方向とずれて前記ペダルに使用者の足を持続的に接触することが難しく、また有効な力を伝達することができない。
【０００３】
特に、操向の角度が大きいと、前記ペダルを踏むこと自体が不可能になる。
【発明の概要】
【発明が解決しようとする課題】
【０００４】
本発明は、自転車の車体（フレーム）の構造を極小化して軽量化をなし、使用・運搬において少ない力ですみ、最小の大きさをなすことができるようにして携帯性を極大化させ、同時にペダルを踏む足の位置を楽にすることができるようにする。
【課題を解決するための手段】
【０００５】
前輪ステム；  前記前輪ステムの上端に備えられるサドル；  前記前輪ステムの下端に備えられる前輪；  前記前輪を駆動する駆動部；  前記サドルと前記前輪ステムの間に備えられるハンドルステム及び、前記ハンドルステムの前端に備えられるハンドルから構成されるハンドル部；を含む前輪部と、後輪ステム；  前記後輪ステムの上端に前記前輪ステムを軸受けする操向軸受け；  前記後輪ステムの下端に備えられる後輪；を含む後輪部から構成され、前記ハンドルを操作すれば前記ハンドル部が左右に方向転換をするように構成される。
【０００６】
また、前記ハンドルを操作すれば、前記操向軸受けを軸として前記前輪部が操向動作するように構成される。
【０００７】
あるいは、前記ハンドルステムは、前記前輪ステムに設置され、前記後輪ステムの操向軸受けは、前記ハンドルステムの後端を操向軸になるように軸受けすることができる。
【発明の効果】
【０００８】
本発明によれば、既存の前輪駆動形態の自転車の場合、前輪が方向を転換すれば、クランクペダルと衝突を避けるためにクランクペダルも同一の方向に転換しなければならず、これによって運転者の脚の運動軌跡と角が生じてちゃんとした駆動力を伝達することができないところ、このような短所を解消する。
【０００９】
また、方向転換をする方に使用者の体をひねったり傾けることができて方向転換の反対側に作用する遠心力をこらえることが容易で、方向転換と共に体をひねって傾きながらよりダイナミックなライディングの味を楽しむことができる。
【００１０】
本発明において、その範囲は例示された実施の他にも、本発明の技術的思想を含む他の実施のものも含む。
【図面の簡単な説明】
【００１１】
【図１】ＡないしＣは、公知技術の自転車である。
【図２】本発明の第１実施の側面図である。
【図３】前記第１実施において、Ａは部分を示した分解図、Ｂは動作図である。
【図４】Ａは本発明の第２実施の部分を示した側面図、Ｂは本発明の第３実施の部分を示した側面図である。
【図５】本発明の第４実施において、Ａは部分を示した側面図、Ｂは部分を拡大して示した例示図である。（一部構成の図示省略）
【図６】本発明の第６実施において、Ａは部分を示した側面図、Ｂは部分分解図、Ｃは底面で部分を示した動作図である。
【図７】Ａは本発明の部分を示した側面図、Ｂは動作図である。
【図８】本発明の第７実施の側面図である。
【図９】Ａ及びＢは、前記第７実施の折畳動作図である。
【図１０】Ａは本発明の第８実施の部分を示した側面図、Ｂは本発明の第９実施の部分を示した側面図である。
【図１１】前記図６の他の実施として、Ａはベルトを十字に掛けて部分を示した平面図、Ｂは部分の動作を平面で示した動作図、Ｃはベルトを平行に掛けて部分を示した平面図である。
【図１２】本発明の他の形態の実施の側面図である。
【図１３】本発明の他の形態の実施の操向動作図である。
【図１４】Ａは、本発明の他の形態の実施のベルトを利用した操向操作手段１５０実施の側面図、Ｂは自在継ぎ手を使用した例示図である。
【図１５】Ａは本発明の他の形態の実施の外形側面図、Ｂは部分分解図である。
【図１６】Ａは本発明の他の形態の実施の折畳まれた例示の側面図、Ｂは折畳手段１７０を解体した分解図、Ｃは操向軸受け２２０を解体した分解図である。
【図１７】Ａ及びＢは、本発明の他の形態の実施の操向軸受け２２０を軸とする上・下端の回転ｓ２の例示である。
【図１８】ＡないしＣは、本発明の他の形態の実施の操向軸受け２２０軸の角度（方向）またはハンドルステム１６２後端を軸受けするハウジングフレームＦ軸受けの角度を異にした例示である。
【図１９】Ａは本発明の他の形態の実施の操向操作手段を含んだ関連構成要素の部分図、Ｂは部分透視図、Ｃは縦断面図である。
【図２０】ＡないしＣは、本発明の他の形態の実施の操向操作手段を含んだ関連構成要素の部分図を含んで折畳手段１７０の多様な形態を示した例示図である。
【図２１】Ａは本発明の他の形態の実施の前輪ステム１１０を折曲げて折畳手段が操向回転ｓ２軸の外に構成されるようにした後、前輪ステム及びサドルの回転方向を一致させることを示した部分側面図、Ｂは前輪ステムの他の形態を例示したもので前輪ステム及びその周辺要素の斜視図である。
【図２２】ＡないしＣは、本発明の他の形態の実施の多様な形態のハンドルステム及び操向操作手段の構成形態を例示した側面透視図である。
【図２３】ＡないしＣは、本発明の他の形態の実施の法線に対する前輪部１００の傾きを異にして例示した側面図、Ｄは走行及び操向（方向転換）の動作図である。
【発明を実施するための形態】
【００１２】
本発明は、ハンドル部；  前記ハンドル部の後端部に連結され、上端にサドルを備え下端に前輪を備える前輪ステム；  前記ハンドル部の後端部または前記前輪ステムに連結され、下端に後輪を備える後輪ステム；を含んで構成され、前記ハンドル部を動作させると前記後輪ステムの上端部を軸として前記前輪ステムが左右に操向回転（屈折含む）するように構成される。
【００１３】
前記操向回転は、前記ハンドル部のハンドルまたはハンドルステム自体を回すか曲げるか動かすかして操作すれば、この操作による動作が前記後輪ステム上端部の回転軸に対して前記前輪ステムが操向可能なように左・右に回転するように構成され、これを操向操作手段という。
【００１４】
前記ハンドル部の後端部と前記後輪ステムの上端が回転結合する場合に、前記ハンドル部は、前記前輪ステムとＸ形に折畳可能に結合することができる。
【００１５】
本発明は前・後輪を含む２輪以上の自転車を対象とする。図１Ａは、複数の後輪を並列配置して構成した３輪トライク形態である。
【００１６】
前輪部１００と後輪部２００から構成され、前記前輪部１００は、前輪ステム１１０；  前記前輪ステム１１０の上端に備えられるサドル１２０；  前記前輪ステム１１０の下端に備えられる前輪１３０；  前記前輪１３０を駆動する駆動部１４０；  前記サドル１２０と前記前輪ステム１１０の間に備えられるハンドルステム１６２及び、前記ハンドルステム１６２の前端に備えられるハンドル１６１を含むハンドル部１６０；を含む。
【００１７】
一方、坂道を下る重力ライディング等の目的で製作されたり、別途の動力装置等を装着するように製作される場合等には、前記駆動部が省略されることもできる。
【００１８】
また前記ハンドルステム自体が前記ハンドルの役割をする場合、別途のハンドルは省略されることができる。
【００１９】
前記後輪部２００は、後輪ステム２１０；  前記後輪ステム２１０の上端に備えられて前記前輪ステム１１０を軸受けする操向軸受け２２０；  前記後輪ステム２１０の下端に備えられる後輪２３０；を含む。
【００２０】
そして、前記前輪部と後輪部をＸ形に交差した後、その交差点をヒンジ結合させる。このような構成ではさみ（Ｓｃｉｓｓｏｒｓ）のように折畳可能にすることができる。勿論、Ｘ形が固定されたり広がったりする限界を定めるように、止めピン等を使用してロック装置を構成することができる。また、前記ハンドルの回転が前記後輪部の前端を回転させるように構成する。
【００２１】
前記前輪ステム１１０及び後輪ステム２１０は、普通、金属、炭素繊維、合成樹脂等を素材として棒状の形態に備えられ、下端に前・後輪１３０、２３０をそれぞれ軸受けするようになる。
【００２２】
前記操向軸受け２２０は、前記後輪ステム２１０の上端に備えられ、環状（パイプの形状）の形態を取る。前記操向軸受けの内部に前記前輪ステム１１０が通過して軸受けされ、前記後輪ステム２１０と一定の角を維持するように固定する。
【００２３】
前記サドル１２０は、普通、合成樹脂、ゴム等の素材からなり、使用者が着席して駆動部１４０のペダル１４２を踏みやすい形態を取る。図１０Ａのように前記前輪ステム１１０の正に上端に位置すれば、前記前輪ステム１１０の回転軸と使用者（搭乗者）の体の重心の回転軸が一致するようになる。図１０Ｂのように前記前輪ステム１１０の重心から後方に退くように備えれば、使用者の体の重心が前記前輪ステム１１０の回転軸ｓ２の後方に位置するようになる。この時、前記前輪ステム１１０は、後方に傾いており、これによって前記傾斜した回転軸ｓ２を中心として回転するサドル１２０｀に着席した使用者の重さの重心が上向きになる。この時、重力によって元の位置に自動修復しようとする性質が発生する。前記操向は、前記ハンドルを回転操作ｓ１して試みることができる。
【００２４】
前記前・後輪１３０、２３０は、普通、ゴム、合成樹脂等の素材からなったタイヤ１３２、２３２と、前記タイヤの回転軸１３１、２３１を含み、前記前輪１３０の場合、普通は操向（方向転換）の役割のみを担当するが、前輪駆動自転車では推進力を発生させる駆動の役割も担当する。もし、後輪側にモーターのような駆動装置を構成すれば後輪駆動も可能である。
【００２５】
前記駆動部１４０は、普通、ペダル１４２；  駆動スプロケット１４１；  チェーン１４３；  従動スプロケット１４４；  変速器を含んで構成される。また、べベルギア等ギアの組合を利用してチェーンのない無チェーン動力伝達方式でも構成される。もちろんこれ以外の他の形態の駆動部を適用することが可能である。
【００２６】
前記ハンドル部１６０に関して、ハンドル１６２またはハンドルステムを使用者が手で操作して操向力（方向転換する力）を発生させると、前記前輪ステム１１０を通じて終局には前記前輪１３０に伝達されて操向が可能である。勿論、図面に示されるハンドル部の形態は一つの例示であり、これ以外にその他異なる形態のハンドル、ハンドルステム及びこれらの組合が可能であり、またブレーキ、速度計、警音機等の一般的な自転車に必要な付帯装置を追加することができる。
【００２７】
次は、本発明の核心事項といえる前記ハンドル部１６０及び操向操作手段１５０にについて詳察する。
【００２８】
まず、図７で操向操作手段１５０の最も簡略な形態の一実施を詳察すれば、前記ハンドル１６１を操作する時、前記ハンドル部１６０のみ独立的に左右または上下に挙動されるようにする構成が図示されたところ、この時、使用者は前記ハンドル部１６０の挙動に反対する側に力を発揮して前記サドル１２０を通じて前記前輪ステム１１０に力を伝達し、結局前輪部１３０の操向を達成することができるのである。図７Ａ及びＢに示された一実施をみれば、カム形態で傾斜をつけて軸ａ結合される傾斜軸１５９が構成されており、 前記ハンドル部１６０を回転ｓ１させれば、前記傾斜軸１５９の傾斜によって 前記ハンドル部１６０が左・右いずれか一側にずれる挙動ｓ２をするようになる。このような構成は、ハンドル部１６０が単独で動くので安定感が多少不足するため使用者が人為的に前記ハンドル部１６０の位置を固定しなければならない。もちろん、前記ハンドル部の回転に抵抗を加える弾性体を備えて、その両端部を前記傾斜軸１５９の両側にかけて位置復元を謀ることができる。
【００２９】
次に、前記ハンドル１６１を操作すれば、前記操向軸受け２２０を軸として前記前輪部１００全体が左右に方向転換される構成に関して、操向効果が確実でハンドル部が安定的な実施を詳察すれば、図２及び図３Ａで、ハンドルステム１６２の先端に（前に）ハンドル１６１が備えられ；  前記ハンドルステム１６２の後端は、前輪ステム１１０からピボット結合されるように軸受けａされて固定され；  前記ハンドルステム１６２後端に備えられるギアと前記後輪ステム２１０上端に［または、操向軸受け２２０に］備えられるギアがべベルギア１５１、１５２の形態で結歯する（ギアの歯がかみ合う）。前記構成によって図３Ｂに図された操向動作が可能である。使用者が前記ハンドル１６１を回転させて操向操作ｓ１すれば、前記べベルギア１５１、１５２を作動させて結局は前記前輪部１００全体が操向回転ｓ２する。
【００３０】
前記べベルギア１５１、１５２の形態は、図４Ａにおいてのように、操向回転に必要な局所部分のみ歯形を形成することができる。図４Ｂは、上下方向を変えて構成したものであり、この場合、前輪部１００の操向方向が前記操向回転ｓ２方向と反対になるため、公演、訓練等の特殊目的に使用されることができる。
【００３１】
図５Ａ及びＢにおいては、ハンドルステム１６２の後端と前輪ステム１１０が一体になって動かないように固定された形態である。この時には、ハンドル１６１が前記ハンドルステム１６２の先端で別途に動作したり回転することができるようにする。軸ａを置いて構成する場合が一例示である。前記軸ａのギアに対応するように結歯させたギアが前端側のべベルギア１５３になり；  前記ハンドルを操向操作すれば前記前端側べベルギア１５３で動力の方向が転換され、また伝達軸１５５を通って後端側のべベルギア１５４に伝達される。前記後端側のべベルギア１５４構成は、前記伝達軸１５５の後端にあるギアと後輪ステム２１０の上端に（または操向軸受けに）あるギアが結歯されて構成される。前記後端側に伝達される操向操作によって、前記後輪部２００の操向軸受け２２０を軸として前記前輪部１００が左右に操向回転することができる。
【００３２】
前記べベルギアは、一つの例示であって、これと代替可能な他の形態のギアまたは摩擦車（ｆｒｉｃｔｉｏｎ  ｗｈｅｅｌ）によって達成されることができる。
【００３３】
図６に図示されたところは、ベルトとベルトプーリ（または、チェーンとスプロケット）を適用したものである。前記図５に示された形態のまた他の実施の一つとして、ハンドル１６１の回転軸ａに前端側ベルトプーリ１５６を備え；  ハンドルステム１６２の後端に後端側ベルトプーリ１５７を構成し；  前記ベルトプーリ１５６、１５７にベルト１５８をかけて連結したものである。前記ベルト１５８は、図面の例示のように十字掛けが望ましく、この外に平行掛けをすることができる。
【００３４】
図１１Ａの場合は、前記図６の他の例示であって、前記前端側ベルトプーリ１５６を除去し、前記ハンドル１６１の左右両側に前記ベルト１５８の両端部をそれぞれ固定ｆするようにする構成である。この時、図１１Ｂのように前記ハンドル１６１を回転軸ａを中心として回転させて操向操作ｓ１すれば、図示されたようにハンドルステム１６２が操向軸受け２２０を中心に操向回転ｓ２しながら前輪ステムを操向回転するようになっている。一方、前記後端側ベルトプーリ１５７または前記操向軸受け２２０には、前記ベルトを固定するように固定ｆ｀することができる。一方、図１１Ｃのようにベルトをかけるようになれば、異なる方向に操向回転する。勿論、前述した構成の逆に後端側ベルトプーリ１５７を除去するように構成することができる。
【００３５】
前述した構成によって、使用者はハンドル部１６０を操作して前輪部１００全体を操向、方向転換し、これによってサドル１２０の方向が前記操向の方向と一致するため、使用者の搭乗方向が操向の方向と一致し、これによって前輪及び駆動部の方向と一致するようになる。したがって、走行（運転）中に使用者の足が前輪にかかるようになる（接触する）ことが起こらず、駆動部、特にペダルの方向と足の運動方向が一致して有効な推進（駆動）動作を加えることができる。
【００３６】
本発明の前輪駆動自転車は、保管、移動等の便宜のために折畳できるように折畳手段を備えることができ、前記折畳手段は非常に多様な折畳手段、装置が公知されているためこれを引用することにする。
【００３７】
図８では、折畳手段１７０(１７１、１７２、１７３)を備えることを図示している。前記折畳手段１７０(１７１、１７２、１７３)は、ハンドルステム１６２；  前輪ステム１１０；  後輪ステム２１０の全てに、またはいずれか一部に選択的に備えることができ、その他にハンドルのように他の所にも必要であれば備えることができるところ、図９Ａの場合、ハンドルステム１６２と後輪ステム２１０に前記折畳手段１７０(１７１、１７３)を設置する例を示し；  図９Ｂにおいては前輪ステム１１０にのみ前記折畳手段１７０(１７２)を装置する例を示している。
【００３８】
また図９で、各部分の長さが調節が可能になるようにスライディング手段ｉが例示されている。前記スライディング手段ｉもまた必要な部分に設置することができる。
【００３９】
本発明で前述した構成及びその要素は、いくつかの例示に該当するものであり、前述したもの以外の公知になったり、または当業者であれば変更することができる全ての装置、手段が本発明を達成するために動員されることができるところ、例えば、前記ハンドル１６１の形態は、前記図示されたようなＴ形はもちろん、これ以外のものとして旗竿形態等も可能で、その作動形態は前記回転（回折）方法の外に屈折、伸縮等他の方法で作動するようにする構成も可能である。たとえば、自転車ブレーキ装置として使用されるキャリパーブレーキの場合、ハンドル側のブレーキレバーを握力で把持して後ブレーキを作動する原理が使用され、このように前記ハンドル側のレバーを把持して前記後輪ステム２１０の操向軸受け２２０から前記前輪ステム１１０が回転するように構成することができるのである。これと関して韓国出願特許第１０２００５０１０１６０８号の発明の詳細な説明及び添付された図面と同じものを引用して構成することができる。
【００４０】
前記ギア、前記べベルギアｇ１、ｇ２においては、それが担当する役割を代替することができるものとして、摩擦車、自在継ぎ手（Ｕｎｉｖｅｒｓａｌ  Ｊｏｉｎｔ）、リンク連結（Ｌｉｎｋａｇｅ）等が適用可能である。
【００４１】
また、本発明で、前記折畳手段１７０と係わっては、大韓民国出願特許／出願実用新案第１０１９９３０００２６３０号、第２０２００１０００６１９６号、第２０１９９５００００１６６号、等があり、前記スライディング手段ｉと係わっては第１０１９９６００２７３１５号、第２０１９９７００３６１０８号、第２０２００８０００８３４５号等があるところ、これを引用することができる。
【００４２】
前述したように前輪部と後輪部がＸ形に交差する本発明の自転車において、前記ハンドルステムは、前記前輪ステムに固定され、前記後輪ステムの操向軸受けは前記ハンドルステムの後端が操向軸になるように軸受けすることができるところ、次の図１２からは、ハンドルステム１６２と前輪ステム１１０がピボット、ヒンジ等の折畳手段１７０で結合され；  前記ハンドルステムの後端（あるいは下端）と後輪ステム２１０の前端（あるいは上端）がピボット、ヒンジ結合して操向軸受け２２０を構成する場合の実施を説明する。
【００４３】
図１２ないし図１６に示されたところを図１９及び図２０と共に説明すれば、ハンドル部１６０のハンドルステム後端がハウジングフレームＦから操向のための回転、あるいはハンドル操作が可能なように軸受けされ；  前記ハンドルステム１６２後端に固定される歯車１５１と後輪ステム２１０の上端に形成された歯車１５２が噛み合ってべベルギア１５１、１５２を構成し、前記ハウジングフレームＦから操向軸受け２２０を含んで軸受けされることにより操向操作手段１５０を構成し；  前輪ステム１１０は、前記ハウジングフレームＦとヒンジ結合して図１６Ａに示されたようにはさみ形に畳まれて折畳まれる折畳手段１７０を構成したところ、この時ロック装置を使用して前記折畳状態を維持、解除することができる。
【００４４】
この時、前記折畳手段１７０のヒンジ回転軸は、折畳手段構成の便宜のために図２０に示された場合のように前記ハウジングフレームＦから延長された部位ｅに構成することができる。
【００４５】
前記した構成によって前記操向軸受け２２０を通して１３及び図１４Ｂのような操向動作が可能である。すなわち、ハンドル１６１、ハンドルステム１６２を操向操作をすればｓ１、前記べベルギア１５１、１５２、あるいは自在継ぎ手ｊを通じて伝達される動力が前記操向軸受け２２０を軸として後輪部２００の後輪ステム２１０を回転させるようになるｓ２｀。この時、前記後輪ステムが方向固定されているとしたら、逆に前輪部１００の前輪ステムが回転しながらｓ２、ハンドル部１６０、サドル１２０及び前輪１３０を含んだ前輪部１００全体を回転させる方法で方向転換をするようになる。図１５Ｂに分解図示されたところをみれば、後輪部２００を区分するのは容易である。
【００４６】
図１４ａでのように、タイミングベルト（チェーン含む）及びベルトプーリ（スプロケット含む）によっても前記操向操作手段１５０の構成を達成することができるところ、ハンドル１６１側に備えられたベルトプーリ１５６とハンドルステム１６２後端に備えられたベルトプーリ１５７をベルト１５８で巻いて連結する。
【００４７】
図１４Ｂでは自在継ぎ手（十字ジョイントまたはユニバーサルジョイント）ｊを使用して前記べベルギアに代える場合を簡略表示（前記自在継ぎ手は公用されている機械要素であるため詳しい図示は省略）したもので、自在継ぎ手を１個あるいは複数個を組み合わせてべベルギアに代わって回転の方向を変える。前記自在継ぎ手は、フレキシブル（Ｆｌｅｘｉｂｌｅ）な材料による継ぎ手でも代替することができる。また前記べベルギアは公知になった他の形態のギアの組合、他の機械要素、例えば摩擦車等で代替可能なことは勿論である。つまり、回転（屈折含む）を正・逆に伝達したりその方向を他の角度に変えて伝達する機械要素であれば、公知、公用されたものを含んでその他のものも本発明の前記構成に使用されることができる。本発明でこのような要素を操向操作伝達要素という。
【００４８】
一方、前記操向軸受け２２０の軸の角は、必要に応じて傾斜をつけることができるが、例えば図１８に図示されたところを見れば、図１８Ａのような正角ｑ；  図１８Ｂ、Ｃのように傾斜角ｒまたは逆傾斜角ｒ｀をつけて構成することができ；  前記ハンドルステムの操向軸回転の場合も同様に傾斜角を付与することができる。図１８において前記傾斜角は、図１７から分かるように前輪の地面接触点とサドルの回転軸を一致させなければならない場合や、キャスター角を取ったり、その他エクストリームスポーツ等の公演のための自転車等、特別な目的等のために使用されることができる。
【００４９】
または前記ハンドルステムと前記前輪の接地点を一致させるために、前記サドルの位置を前方あるいは後方に位置移動して固定することができ、図２１Ａの場合のように前輪ステム１１０を曲げて折畳手段１７０をずらして構成し、前輪ステムとサドルの回転軸を一致させることができる。
【００５０】
ここで前述した構成方法は、単に前輪接地点とサドルの回転軸を一致させるための場合の外に他の目的でも使用されることができることは勿論である。
【００５１】
反対に、サドルの回転軸と前輪接地点の回転軸を一部でずらして構成することができるところ、本発明構成の便宜上、または、前輪にキャスター角を付与したり、乗車時に使用者の体を前方に下げる場合に使用者の重さの重心が前方に形成されるので、これに適応するように前記重さの重心が前記回転軸により近接されるようにするためや、操向操作の便宜のためや、使用者の体重によってハンドルステムの操向回転に影響を及ぼすようにしたり、美観上等の目的のためである。
【００５２】
図２１Ｂでは前輪ステムを縦に２分して提供し、その間にハンドルステムを挟んで折畳手段１７０を構成することができるようにしたもので、逆にハンドルステムを縦に２等分して提供し、前輪ステムをその間に挟んで通過させることもできる。
【００５３】
図２２では、多様な形態のハンドルステム及び操向操作手段等の形態を例示し、図２２Ａ、Ｃはハンドル１６１の回転軸にもべベルギア（または自在継ぎ手）の構成を追加する場合で；  図２２Ｂの場合にはハウジングフレームＦをハンドル１６１がある所まで延長して実質的なハンドルステム１６２の役割をするように構成する場合である。したがって、図２２を参照する時、事実上ハウジングフレームＦはハンドルステム１６２の一部か代替されることができる要素であることが分かる。
【００５４】
図１６Ｂ、Ｃに示されたように、各部分を分解、組立て可能なようにすることにより、整備、保管、運搬の便利性を向上させることができる。
【００５５】
前記操向操作手段１５０等、全ての構成要素においてより具体的な事項や前述した構成の外に他の方法のもの等は、前記図１ないし図１１に例示されたもの等を引用する。
【００５６】
図２３は本発明の動作を例示したもので、図２３Ａの場合、垂直法線ｖに対して前輪ステム１１０または操向操作手段１５０／操向軸受け２２０の回転軸の傾きを付与しないか、非常に小さな傾斜角（３゜）を付与した場合であって、使用者（ｕｓｅｒ）が前方に転倒する恐れがある。
【００５７】
図２３Ｂの場合、前記傾きを非常に大きく与えて非常に大きい傾斜角（４３゜）を付与した場合で、前方に転倒するおそれはないが少し後方に寝るような（ｒｅｃｕｍｂｅｎｔ）感じがある。
【００５８】
図２３Ｃの場合、中間程度の傾斜角（２３゜）を付与した場合である。
【００５９】
前記傾斜角は、使用者の好み、使用用途、トレンド等によって変更可能なように傾斜角を可変することができる装置によって変更されることができる。
【産業上の利用可能性】
【００６０】
本発明によれば、自転車の車体構造が極小化され、重さが軽量化され、大きさが最小化されて、使用、運搬及び携帯が楽で、前輪駆動時にペダルを踏む足が前輪回転の方向と一致して楽にペダルリングをすることができ、使用者に便利さを増進させ自転車の底辺拡大に寄与することができる。
【図１】
0005887687.tif 000002
【図２】
0005887687.tif 000003
【図３Ａ】
0005887687.tif 000004
【図３Ｂ】
0005887687.tif 000005
【図４Ａ】
0005887687.tif 000006
【図４Ｂ】
0005887687.tif 000007
【図５Ａ】
0005887687.tif 000008
【図５Ｂ】
0005887687.tif 000009
【図６Ａ】
0005887687.tif 000010
【図６Ｂ】
0005887687.tif 000011
【図６Ｃ】
0005887687.tif 000012
【図７Ａ】
0005887687.tif 000013
【図７Ｂ】
0005887687.tif 000014
【図８】
0005887687.tif 000015
【図９Ａ】
0005887687.tif 000016
【図９Ｂ】
0005887687.tif 000017
【図１０Ａ】
0005887687.tif 000018
【図１０Ｂ】
0005887687.tif 000019
【図１１Ａ】
0005887687.tif 000020
【図１１Ｂ】
0005887687.tif 000021
【図１１Ｃ】
0005887687.tif 000022
【図１２】
0005887687.tif 000023
【図１３】
0005887687.tif 000024
【図１４Ａ】
0005887687.tif 000025
【図１４Ｂ】
0005887687.tif 000026
【図１５Ａ】
0005887687.tif 000027
【図１５Ｂ】
0005887687.tif 000028
【図１６Ａ】
0005887687.tif 000029
【図１６Ｂ】
0005887687.tif 000030
【図１６Ｃ】
0005887687.tif 000031
【図１７】
0005887687.tif 000032
【図１８Ａ】
0005887687.tif 000033
【図１８Ｂ】
0005887687.tif 000034
【図１８Ｃ】
0005887687.tif 000035
【図１９Ａ】
0005887687.tif 000036
【図１９Ｂ】
0005887687.tif 000037
【図１９Ｃ】
0005887687.tif 000038
【図２０Ａ】
0005887687.tif 000039
【図２０Ｂ】
0005887687.tif 000040
【図２０Ｃ】
0005887687.tif 000041
【図２１Ａ】
0005887687.tif 000042
【図２１Ｂ】
0005887687.tif 000043
【図２２Ａ】
0005887687.tif 000044
【図２２Ｂ】
0005887687.tif 000045
【図２２Ｃ】
0005887687.tif 000046
【図２３】
0005887687.tif 000047